(57)【要約】  【課題】  ＰＯＳ端末装置周辺の陳列物に邪魔されることなく、掲示物を会計時の顧客から見易い高さ位置に掲示することができるＰＯＳ端末装置を提供する。  【解決手段】  装置本体１に商品情報等の入力部２、及び入力された情報を表示する店員用表示部３と、顧客用表示部４を備えたＰＯＳ端末装置において、前記店員用表示部３、顧客用表示部４の何れか一方又は両方が、掲示物Ｐを吊り下げる吊り下げ手段８を備え、更に吊り下げ手段を備えた表示部は該表示部の下方に前記吊り下げ手段で掲示物を目視容易な高さ位置に吊り下げ保持する空間を確保する。  【選択図】  図４
2010009284.tif 000002
【特許請求の範囲】
【請求項１】
装置本体に商品情報等の入力部、及び入力された情報を表示する店員用表示部と、顧客用表示部を備えたＰＯＳ端末装置において、
前記店員用表示部、顧客用表示部の何れか一方又は両方が、掲示物を吊り下げる吊り下げ手段を備え、更に吊り下げ手段を備えた表示部は該表示部の下方に前記吊り下げ手段で掲示物を目視容易な高さ位置に吊り下げ保持する空間を確保することを特徴とするＰＯＳ端末装置。
【請求項２】
前記顧客用表示部は、前記装置本体に対し昇降手段で鉛直方向に移動調整可能に取り付けられていることを特徴とする請求項１記載のＰＯＳ端末装置。
【請求項３】
前記昇降手段は、前記装置本体に開設した通孔と、前記顧客用表示部の下端部に垂下連結した支柱とからなり、該支柱は前記通孔に摺動可能且つ摩擦係止可能に嵌着されていることを特徴とする請求項２記載のＰＯＳ端末装置。
【請求項４】
前記吊り下げ手段は、前記店員用表示部又は顧客用表示部の下側縁部に設けた受部と、前記受部に対して着脱可能な取付部とからなり、前記取付部は掲示物を吊り下げる吊り部材を備えていることを特徴とする請求項１乃至３の何れか１項記載のＰＯＳ端末装置。
【発明の詳細な説明】
【技術分野】
【０００１】
本発明はＰＯＳ端末装置に関し、更に詳しくは掲示物を吊持し得る機能を備えたＰＯＳ端末装置に関する。
【背景技術】
【０００２】
ファーストフード、ファミリーレストラン、カフェレストラン等では、定休日や店舗からのサービス情報等の告知を、店内掲示板或いはポスター等を用いて顧客へ告知を行なっているが、来店する顧客に十分に認知されないことがある。その為、会計（精算）時の顧客から見易いレジ背面（支払いをする顧客側から見える面）に掲示物（告知物）を貼り付けて顧客へ情報を伝達することが行なわれている。
又、同様の目的でＰＯＳ端末装置の背面にＰＯＰ取付部、又はＰＯＰ取付板を備えたものが提案されている（例えば、特許文献１参照）。
【０００３】
しかしながら、ＰＯＳ端末装置の背面のＰＯＰ取付部又はＰＯＰ取付板に掲示する告知物の大きさは、取付位置（高さ）或いは取付部の面積（大きさ）に合わせざるを得なく、文字の大きさや告知情報量（文字数）に制限制約が発生し、来店客に正しく情報を伝達できないという問題が発生する可能性があった。また、会計精算を行なうレジ（ＰＯＳ端末装置、精算端末装置）周りには、会計待ちの顧客の「ついで買い」を狙ってガム等の小物商品や、子供が好むキャラクター商品等を陳列することが多く、その陳列される商品により前記レジ背面に貼り付けた前記掲示物（告知物）、ＰＯＳ端末装置の背面のＰＯＰ取付部又はＰＯＰ取付板に取り付けたＰＯＰ広告が隠れて見えなくなってしまい、顧客へ情報を伝達することができないという問題が発生する。
【０００４】
何故ならば、掲示物が貼付されるレジ背面、特許文献１のＰＯＳ端末装置に備えられるＰＯＳ端末装置の背面のＰＯＰ取付部又はＰＯＰ取付板の位置（高さ位置）が固定されているため、来店する顧客の平均身長に合わせて掲示物を掲示する高さ位置に調整できない。また、掲示物の大きさ或いはレジ周りに陳列される商品の量及び高さ等に合わせて、前記ＰＯＳ端末装置の掲示物を取り付ける背面に設けられたＰＯＰ取付部或いはＰＯＰ取付板の位置を移動調整することができない。そのため、掲示物の大きさを、掲示する場所（取付位置）に合わせた文字の大きさや情報量で複数種類作製しなければならないという手間と時間が発生してしまう。更に、掲示物の取付部が複数存在し、且つその取付部の大きさに制限された掲示物（文字の大きさや情報量が制限された掲示物）が異なった位置に掲示された場合は、伝達すべき情報が散漫し、顧客へ適切に情報が伝わらない可能性がある。
また、レジ（ＰＯＳ端末装置、精算端末装置）背面に掲示物の貼付／剥離を繰り返した場合、レジ背面に貼付の糊跡が残り、汚れて見栄えが悪くなり、会計精算待ちの顧客に悪い印象を与える可能性がある。
【０００５】
【特許文献１】特開２００７−２４９４５４号公報
【発明の開示】
【発明が解決しようとする課題】
【０００６】
本発明は上記した従来の技術が有する問題点に鑑みてなされたもので、その目的とするところは、ＰＯＳ端末装置周辺の陳列物に邪魔されることなく、掲示物と会計情報を会計時の顧客から注視見易い高さ位置に掲示することができるＰＯＳ端末装置を提供する。
【課題を解決するための手段】
【０００７】
上記目的を達成する為に本発明のＰＯＳ端末装置は、装置本体に商品情報等の入力部、及び入力された情報を表示する店員用表示部と、顧客用表示部を備えたＰＯＳ端末装置において、前記店員用表示部、顧客用表示部の何れか一方又は両方が、掲示物を吊り下げる吊り下げ手段を備え、更に吊り下げ手段を備えた表示部は該表示部の下方に前記吊り下げ手段で掲示物を目視容易な高さ位置に吊り下げ保持する空間を確保することを特徴とする（請求項１）。
【０００８】
前記入力部は、テンキー、シフトキー、エンターキー等のキー入力部に限らず、店員用表示部がタッチパネル液晶表示器で構成された場合におけるファンクションキーで機能設定されるソフトウエアーキーボードも入力部として含まれる。
前記店員用表示部と顧客用表示部は、それぞれ独立した形態のものに限らず、店員用表示部と顧客用表示部とが背中合わせに一体に構成された形態のものでもよい。
掲示物を吊り下げる吊り下げ手段としては、挟み形式、フック引掛け形式等、何れの方式でもよく要は掲示物を吊り下げ、交換可能な方式であればよい。
又、前記吊り下げ手段は、表示部に対して固定式、或いは着脱式の何れでもよい。
吊り下げ手段を備えた表示部が該表示部の下方に確保する空間は、表示部を所定の高さ位置に固定して空間の幅（高さ）を一定に保持する構造、或いは表示部を装置本体に対し鉛直方向に移動可能とし、前記空間の幅が可変する構造の何れでもよい。尚、表示部の位置を固定して空間の幅を不変とする場合、その空間の幅（高さ）は前記表示部に吊り下げる最大大きさの掲示物に合わせて設定する。
【０００９】
上記手段によれば、店員用表示部、又は顧客用表示部に掲示物を吊り下げる吊り下げ手段が装備されているので、該吊り下げ手段を用いて掲示物を吊り下げることで、店が顧客へ伝達したい情報を、レジ周りに陳列する商品に邪魔されることなく、会計時の顧客側から目視可能な状態に吊り下げることができる。即ち、顧客用表示器の内容（会計情報）を客が見たとき、同時に掲示物の内容も視野に入る為注視させることができる。
そして、表示部に掲示物を吊り下げる為、掲示物の取付位置（高さ）或いは取付部の面積（広さ）による文字の大きさや告知情報量（文字数）の制限制約を削減し、来店客に会計情報と告知情報とを正しく伝達することができる。
又、表示部に掲示物を吊り下げる為、ＰＯＳ端末装置の寸法或いは掲示物の取付箇所に制限されることなく伝達すべき情報を散漫させず顧客に注視させ効果的に情報を告知することができる。
【００１０】
前記顧客用表示部は、前記装置本体に対し昇降手段で鉛直方向に移動調整可能に取り付けた構成とする（請求項２）。
昇降手段としては、モータや機械力によって作動する自動方式、手で移動調整する手動方式の何れでもよい。
【００１１】
上記手段によれば、吊り下げ手段を備えた顧客用表示部が昇降手段で鉛直方向に移動自在である為、掲示物の大きさ（縦方向の長さ）に合わせて顧客用表示部を鉛直方向に移動調整することで、該掲示物を顧客側から目視容易な高さ位置に掲示することができるので、来店する顧客の平均身長（目線）に合わせた高さ位置に掲示物を掲示することができるので視認性がよく、前記両方の情報（顧客用表示器の会計情報と掲示物の告知情報）を同時に正しく伝達することができる。
【００１２】
前記昇降手段は、例えば、前記装置本体に開設した通孔と、前記顧客用表示部の下端部に垂下連結した支柱とで構成し、該支柱は前記通孔に摺動可能且つ摩擦係止可能に嵌着する手動方式とする（請求項３）。
【００１３】
上記手段によれば、顧客用表示部を手で持って上げ下げすることで、該顧客用表示部を目的の高さ位置に移動調整することができる。そして、移動調整した高さ位置は通孔内面と支柱外面との摩擦により係止できるため、簡単に任意の高さ位置に調整することができる。しかも、モータや機械力は一切使用しないため、製作容易で安価に製作することができる。
【００１４】
また、着脱式の前記吊り下げ手段としては、例えば、前記店員用表示部又は顧客用表示部の下側縁部に設けた受部と、前記受部に対して着脱可能な取付部とで構成し、前記取付部は掲示物を吊り下げる吊り部材を備えた構成とする（請求項４）。
前記受部と取付部の着脱構造としては、凹部（例えば、溝、孔等）と凸部（例えば、溝、孔に嵌着係合する突起等）による嵌着構造等が挙げられる。
【００１５】
上記手段によれば、吊り部材を備えた取付部が表示部側の受部に対して着脱可能であるため、掲示物の形態に合わせて吊り部材を選択交換することができる。そして、取付部を装着する受部を表示部の幅方向に沿う溝とした場合、掲示物を吊り下げる吊り部材を表示部の幅方向に沿って移動調整できる。それにより、掲示物の幅に合わせて吊り部材の位置を調整できる為、掲示物を安定よく吊り下げることができる。
【発明の効果】
【００１６】
本発明のＰＯＳ端末装置は請求項１記載の構成により、ＰＯＳ端末装置の寸法に制限されることなく来店客に告知情報を正しく伝達することができる。
そして、表示部に掲示物を吊り下げる為、来店客に会計情報と告知情報とを注視させ正しく効果的に伝達することができる。
そして、顧客用表示部を請求項２記載の構成とした場合は、掲示物の大きさ（縦方向の長さ）に合わせて顧客用表示部を鉛直方向に移動調整することで、該掲示物を顧客側から目視容易な高さ位置に掲示することができる。これにより、顧客用表示部と掲示物とを顧客の目に入り易い高さ位置に一緒に移動させることができるので、客が顧客用表示部の会計精算の内容を見て確認するとき、該顧客用表示部の近傍の掲示物も必ず視野に入る為、会計時の客へ会計情報と告知情報の両方を視認性よく確実に伝達することができる。
【００１７】
又、請求項３記載の構成により、簡単に任意の高さ位置に調整することができる。しかも、モータや機械力は一切使用しないため、製作容易で安価に製作することができる。
更に、請求項４記載の構成により、掲示物の形態に合わせて吊り部材を選択交換することができる。そして、取付部を装着する受部を表示部の幅方向に沿う溝とした場合、掲示物を吊り下げる吊り部材を表示部の幅方向に沿って移動調整できる。それにより、掲示物の幅に合わせて吊り部材の位置を調整できる為、掲示物を安定よく吊り下げることができる。
【発明を実施するための最良の形態】
【００１８】
以下、本発明の実施の形態の一例を図面に基づいて説明する。
図１及び図２はＰＯＳ端末装置を示す外観図で、ＰＯＳ端末装置Ａはレシート発行部（プリンタ）１ａ、メモリーカード（ＣＦカード等）に記憶されたデータ等を読み取る読み取り機、バーコードリーダを接続する接続部１ｂ等を装備した装置本体１と、その装置本体１の上部に商品情報などの入力部２を兼ねた店員用表示部３と、顧客用表示部４を配置して構成されている。
【００１９】
前記商品情報などの入力部２は、テンキー、カーソルキー、エンターキー等のキー入力部２ａと店員用表示部３を構成するタッチパネル液晶表示部のソフトウエアーキーボード２ｂで構成され、前記キー入力部２ａは店員用表示部３の側部に一体に連設形成されている。
そして、前記店員用表示部３は装置本体１の上部に起立固定した支持体５にヒンジ６を介して前後回動可能に取り付けられている。
それにより、店員用表示部３は最適な傾斜角度に調整することができる。
【００２０】
前記顧客用表示部４は、店員（オペレータ）が前記入力部２より入力した購入商品の値段等が表示されるもので、横長の液晶表示器４ａが合成樹脂製の枠体４ｂに組み込まれて構成されている。そして、この顧客用表示部４は装置本体１の上部で、前記店員用表示部３の後方（背面側）に、表示面を会計精算する顧客側に向けて、昇降手段７によって鉛直方向上下可能に取り付けられている。
また、前記顧客用表示部４における枠体４ｂの下縁部には掲示物Ｐを吊り下げる吊り下げ手段８が取り付けられている。
【００２１】
前記昇降手段７は、前記装置本体１の上面に開設した通孔７ａと、前記顧客用表示部４の下端部に垂下連結され、前記通孔７ａに摺動可能且つ摩擦係止可能に挿通される支柱７ｂとで構成されている。これにより、吊り下げ手段８を備えた顧客用表示部４を、吊り下げる掲示物Ｐの大きさ（縦方向の長さ）に応じて最適な位置（掲示物を目視容易な高さ位置）に引き上げ調整することができる。尚、前記支柱７ｂの下端には図示するようにストッパ９を設けて装置本体１から抜け出ないようにしてもよい。
又、前記顧客用表示部４に連結する支柱７ｂは該表示部に直接連結固定してもよいが、図示するようにヒンジ１０を介して前後回動可能に取り付けてもよい。
【００２２】
前記吊り下げ手段８は、前記顧客用表示部４の枠体４ｂにおける下縁部に沿って該顧客用表示部４の横幅全長に亘って開設した溝形状の受部８ａと、その受部８ａに対し着脱可能に装着される取付部８ｂと、前記取付部８ｂに連結された吊り部材８ｃとで構成されている。
前記受部８ａの溝は、枠体４ｂの側端の一方又は両方に開口形成され、それによりその開口より取付部８ｂを装着し、溝に沿って摺動し、吊り部材８ｃを所望の位置に移動調整することができる。
又、顧客用表示部４に装備する吊り部材８ｃの個数は、図示した２個に限定されず、吊り下げる掲示物の横幅、重量などに応じて適宜増減することができる。
【００２３】
前記取付部８ｂに連結する吊り部材８ｃは、例えば、図４（ｂ）に示すように２個の板状片をスプリングで閉じ方向に付勢した紙バサミ形態のもの、或いは図５（ｂ）に示すフック形態のもの、更に今日、ポスター等を吊り下げる手段として採用されている形態のもの等、何れでもよい。
そして、吊り部材８ｃの形態が異なっても取付部８ｂの形態が同じであれば、掲示物Ｐの大きさ、材質、重量等に応じて最適な吊り部材を選択使用することができる。
【００２４】
本発明のＰＯＳ端末装置Ａは上記構成により、図４（ａ）及び図５（ａ）に示すようにＰＯＳ端末装置Ａにおける装置本体１の高さの略全域が商品Ｗの陳列で覆われている場合、顧客用表示部４を鉛直方向に引き上げることで、該顧客用表示部４の下縁と陳列商品Ｗの上端との間に掲示物Ｐを吊り下げることができる空間Ｓを確保することができる。そして、上方に引き上げた顧客用表示部４の下縁に装備された吊り下げ手段８によって掲示物Ｐを簡単に掲示することができる。
これにより、ＰＯＳ端末装置Ａの前に立ち会計する顧客は、会計精算の内容を顧客用表示部４を見て確認するとき、該顧客用表示部４の下に吊り下げられた掲示物Ｐも視野に入る為、会計時の顧客へ告知内容を確実に伝達することができる。
しかも、前記掲示物はＰＯＳ端末装置Ａの周囲に陳列された商品Ｗを覆い隠すこともないため、「ついで買い」を妨げることがなく、店舗側に有益である。
【００２５】
又、前記吊り下げ手段８における吊り部材８ｃを備えた取付部８ｂが、受部８ａに対して着脱可能な構成である場合は、掲示物Ｐの大きさ、重量、材質等により最適な吊り部材８ｃに付け替え使用することができる。よって、掲示物Ｐを目視容易な安定した状態に掲示することができる。
【００２６】
本発明は図示した実施の形態に限定されず、本発明の要旨を変更しない範囲で変更可能である。
（１）実施例では、吊り下げ手段８を受部８ａと、吊り部材８ｃを備えた取付部８ｂとからなる着脱可能なタイプについて説明したが、受部と取付部を設けず、表示部の枠体に吊り部材の構成部材を組み付けて、吊り下げ手段を表示部の下部に一体に構成してもよい。例えば、紙バサミの一方部材を表示部の枠体が受け持ち、紙バサミの他方部材に相当する押え板をスプリングで閉じ方向に付勢した紙バサミ形態にしてもよい。
（２）実施例では、顧客用表示部が昇降手段によって鉛直方向に上下する構成を説明したが、店員用表示部を顧客用表示部と同様の機構によって上下するように構成してもよい。尚、店員用表示部に吊り下げ手段を設けて上下可能に構成した場合は、該吊り下げ手段に店員への伝達情報（特売情報、取扱注意事項等）が記載された紙片と、顧客への伝達情報が記載された紙片を背中合わせにして掲示することもできる。
（３）実施例では、受部として溝構造を示したが、該受部として表示部の枠体の下縁に前後方向に貫通する孔を開設し、他方、吊り部材を、周方向が開閉するリングとし、そのリングを前記孔に装着すると共に、該リングに孔を開けた掲示物を吊り下げるようにしてもよい。
【図面の簡単な説明】
【００２７】
【図１】本発明に係るＰＯＳ端末装置の実施の一例を示す外観図で、（ａ）は顧客用表示部側から見た背面図、（ｂ）は店員用表示部側から見た正面図。
【図２】（ａ）は同平面図、（ｂ）は同側面図。
【図３】顧客用表示部を上方に引き上げた状態を示す同背面図。
【図４】（ａ）は吊り下げ手段に掲示物を吊り下げた状態を示す背面図、（ｂ）は吊り下げ手段（紙バサミ形態）を示す拡大断面図。
【図５】（ａ）は他の吊り下げ手段で掲示物を吊り下げた状態を示す背面図、（ｂ）は吊り下げ手段（フック形態）を示す拡大断面図。
【符号の説明】
【００２８】
Ａ…ＰＯＳ端末装置                  Ｐ…掲示物
１…装置本体                        ２…入力部
３…店員用表示部                    ４…顧客用表示部
７…昇降手段                      ７ａ…通孔
７ｂ…支柱                            ８…吊り下げ手段
８ａ…受部                          ８ｂ…取付部
８ｃ…吊り部材
【図１】
2010009284.tif 000003
【図２】
2010009284.tif 000004
【図３】
2010009284.tif 000005
【図４】
2010009284.tif 000006
【図５】
2010009284.tif 000007